(57)【要約】【課題】コマ収差補正素子を備える光ピックアップ装置において、対物レンズとコマ収差補正素子との間に位置ずれが生じても適切に収差補正ができ、且つコマ収差を補正する構成が簡易な構成の光ピックアップ装置を提供する。【解決手段】コマ収差補正素子５は、液晶素子からなり、液晶素子を構成する２つの透明電極のうちの一方は、５つの領域Ａ〜Ｅに分割された電極パターンとなっている。コマ収差補正時に、コマ収差補正素子５は、領域Ｅを通過する光ビームの位相を基準位相として、領域Ａ〜Ｄを通過する光ビームに対して、その比率が次の関係を満たす位相差を発生させる。Ａ：Ｂ：Ｃ：Ｄ＝１：−１：−０．４：０．４【選択図】図３
2009048725.tif 000002
【特許請求の範囲】
【請求項１】
ベースと、
前記ベースに固定配置される光源と、
前記ベースに対して変位可能に設けられ、前記光源から出射される光ビームを光ディスクの記録面に集光する対物レンズと、
前記ベースに固定された状態で前記光源と前記対物レンズとの間に配置され、通過する光ビームに位相分布を与えてコマ収差の補正を行うコマ収差補正素子と、
前記光ディスクに対して接離する方向であるフォーカス方向と、前記光ディスクの半径方向と平行な方向であるトラッキング方向と、に前記対物レンズを変位させるアクチュエータと、
を備える光ピックアップ装置において、
前記コマ収差補正素子は、第１から第５の５つの領域を有し、
前記第１の領域と前記第２の領域とは、前記コマ収差補正素子を通る光軸及び前記トラッキング方向と平行な方向に対して略直交する対称線を基準に対称配置され、
前記第３の領域と前記第４の領域とは、前記対称線を基準に対称配置され、且つ前記第１及び第２の領域を挟むように配置され、
前記第５の領域は、少なくとも、前記第３及び第４の領域に取り囲まれる位置であって、前記第１及び第２の領域を取り囲む位置に配置され、
前記第１の領域と前記第３の領域、及び前記第２の領域と前記第４の領域は、それぞれ前記対称線を基準に同じ側に設けられ、
収差補正時には、前記第５の領域を通過する光ビームの位相を基準に、
前記第１の領域と前記第２の領域とは、互いに略同一の大きさであって符号が異なる位相差を通過する光ビームに対して発生させ、
前記第３の領域と前記第４の領域とは、互いに略同一の大きさであって符号が異なる位相差であり、且つ前記第１及び第２の領域で発生される位相差よりその大きさが小さい位相差を通過する光ビームに対して発生させ、
前記第１の領域と前記第４の領域とで発生される位相差の符号、及び前記第２の領域及び前記第３の領域で発生される位相差の符号は、それぞれ同一とされることを特徴とする光ピックアップ装置。
【請求項２】
前記第１及び第２の領域の形状は、平面視略楕円形状であり、前記第３及び第４の領域の形成は、平面視略円弧状であることを特徴とする請求項１に記載の光ピックアップ装置。
【請求項３】
前記第１から第４の領域を通過する光ビームに発生される前記位相差の比率が、次式で表されることを特徴とする請求項２に記載の光ピックアップ装置。
第１の領域：第２の領域：第３の領域：第４の領域＝１：−１：−０．４：０．４
【請求項４】
前記コマ収差補正素子は、液晶と、該液晶を挟む２つの透明電極と、を有する液晶素子であって、
前記第１から第５の領域は、前記２つの透明電極のうちの少なくとも一方を５つの領域に分割することによって形成されることを特徴とする請求項１から３のいずれかに記載の光ピックアップ装置。
【請求項５】
ベースと、
前記ベースに固定配置される光源と、
前記ベースに対して変位可能に設けられ、前記光源から出射される光ビームを光ディスクの記録面に集光する対物レンズと、
前記ベースに固定された状態で前記光源と前記対物レンズとの間に配置され、通過する光ビームに位相分布を与えてコマ収差の補正を行うコマ収差補正素子と、
前記光ディスクに対して接離する方向であるフォーカス方向と、前記光ディスクの半径方向と平行な方向であるトラッキング方向と、に前記対物レンズを変位させるアクチュエータと、を備え、
前記コマ収差補正素子は、第１から第５の５つの領域を有し、
前記第１の領域と前記第２の領域とは、前記コマ収差補正素子を通る光軸及び前記トラッキング方向と平行な方向に対して略直交する対称線を基準に対称配置され、前記第３の領域と前記第４の領域とは、前記対称線を基準に対称配置され、且つ前記第１及び第２の領域を挟むように配置され、前記第５の領域は、少なくとも、前記第３及び第４の領域に取り囲まれる位置であって、前記第１及び第２の領域を取り囲む位置に配置され、
前記第１の領域と前記第３の領域、及び前記第２の領域と前記第４の領域は、それぞれ前記対称線を基準に同じ側に設けられる光ピックアップ装置における前記コマ収差補正素子を用いた収差補正方式であって、
前記第５の領域を通過する光ビームの位相を基準に、
前記第１の領域と前記第２の領域とは、略同一の大きさであって符号が異なる位相差を通過する光ビームに対して発生させ、
前記第３の領域と前記第４の領域とは、略同一の大きさであって符号が異なる位相差であり、且つ前記第１及び第２の領域で発生される位相差よりその大きさが小さい位相差を通過する光ビームに対して発生させ、
前記第１の領域と前記第４の領域とで発生される位相差の符号、及び前記第２の領域及び前記第３の領域で発生される位相差の符号はそれぞれ同一として、収差の補正を行うことを特徴とする収差補正方式。
【発明の詳細な説明】
【技術分野】
【０００１】
本発明は、光ディスクに光ビームを照射して情報の読み取りや書き込みを可能とする光ピックアップ装置に関し、特に、光ピックアップ装置の光学系に収差補正素子を配置して収差を補正する技術に関する。
【背景技術】
【０００２】
コンパクトディスク（以下、ＣＤという。）やデジタル多用途ディスク（以下、ＤＶＤという。）といった光ディスクが普及している。また、最近では、ＣＤやＤＶＤに比べて記録密度を高めたブルーレイディスク（以下、ＢＤという。）等の高密度記録可能な光ディスクも実用化されている。このような光ディスクの情報の再生や光ディスクへの情報の記録は、光ディスクに光ビームを照射して情報の読み取りや書き込みを可能とする光ピックアップ装置を用いて行われる。
【０００３】
ところで、光ピックアップ装置を用いて光ディスクの情報の読み取りや書き込みを行う場合、光ディスクの記録面に光ビームを集光するために備えられる対物レンズの製造ばらつきや対物レンズの組付けばらつき等が原因になって、コマ収差が発生することが知られている。特に、情報を高密度に記録できるＢＤ等に対応する光ピックアップ装置においては、波長の短い光ビーム及び開口数の大きな対物レンズを使用するために、コマ収差の影響を受け易い。
【０００４】
このようなことから、従来、コマ収差の補正を行う機能を備える光ピックアップ装置が多数提案されている。例えば、光ピックアップ装置自体、又は光ピックアップ装置に備えられる対物レンズを機械的に傾けて、コマ収差の補正を行う構成が提案されている。
【０００５】
また、コマ収差の補正を行う他の構成として、光ピックアップ装置の光学系に液晶素子から成るコマ収差補正素子を配置するものがある（例えば、特許文献１や２参照。）。この構成においては、コマ収差補正素子は通過する光ビームに位相分布を与え、これによってコマ収差の補正を行う。液晶素子をコマ収差補正素子として用いる構成の場合、上述の光ピックアップや対物レンズを傾ける場合と異なり、機械的な機構が不要となるために従来から注目されている。
【０００６】
ところで、コマ収差補正素子として液晶素子を光ピックアップ装置の光学系に配置する場合、液晶素子を対物レンズと一体駆動するように構成する場合と、一体駆動しないように構成する場合と、の２通りが従来存在する。
【０００７】
前者の場合には、フォーカス制御やトラッキング制御を行うために設けられる対物レンズアクチュエータの可動部の重量が大きくなり、対物レンズアクチュエータの感度低下等の問題があった。また、可動部に液晶素子を配置する構成のために、液晶素子に給電するための配線の引き回しが容易でないといった問題もあった。
【０００８】
一方、後者の場合には、対物レンズアクチュエータの感度低下や液晶素子への配線の引き回しに関する上述の問題は解消できる。しかし、対物レンズがトラッキング制御のためにトラッキング方向（光ディスクの半径方向と平行な方向）に移動した場合（以下では、このような対物レンズの移動をレンズシフトと表現する。）、対物レンズと液晶素子との間に位置ずれが生じ、新たなコマ収差や非点収差が発生するといった問題があった。
【０００９】
この点、特許文献１によれば、光学式読取装置は、ディスセンタ量（位置ずれの大きさ）を検出し、ディスセンタ量に基づいて収差補正素子に印加する電圧を制御する構成となっている。このために、対物レンズの位置ずれによって生じるコマ収差を補正できるとしている。
【特許文献１】特開２００２−３５８６９０号公報
【特許文献２】特開２００２−３４２９７５号公報
【発明の開示】
【発明が解決しようとする課題】
【００１０】
しかしながら、特許文献１の構成の場合にはレンズシフトの影響を抑制して高い収差補正性能を得ようとすると、ディスセンタ量の検出タイミングを短時間とする必要があると考えられる。そして、この場合には、液晶素子の駆動電圧の設定を短時間で変更する必要がある。しかし、液晶素子は、駆動電圧の設定を変更してから、その駆動電圧に見合った特性が得られるまでに時間を要する。このために、特許文献１の構成の場合、レンズシフトの影響を十分抑制できない場合があると考えられる。また、特許文献１の構成は制御機構が複雑であり、レンズ位置判別器が必要となる場合がある等、コスト面でも不利である。
【００１１】
以上の問題点を鑑みて、本発明の目的は、コマ収差補正素子を備える光ピックアップ装置において、対物レンズとコマ収差補正素子との間に位置ずれが生じても適切に収差補正ができ、且つ簡易な構成でコマ収差の補正が行える光ピックアップ装置を提供することである。また、本発明の他の目的は、コマ収差補正素子を備える光ピックアップ装置において、コストアップを抑制して、対物レンズとコマ収差補正素子との間に位置ずれが生じても適切に収差補正が行える収差補正方式を提供することである。
【課題を解決するための手段】
【００１２】
上記目的を達成するために本発明は、ベースと、前記ベースに固定配置される光源と、前記ベースに対して変位可能に設けられ、前記光源から出射される光ビームを光ディスクの記録面に集光する対物レンズと、前記ベースに固定された状態で前記光源と前記対物レンズとの間に配置され、通過する光ビームに位相分布を与えてコマ収差の補正を行うコマ収差補正素子と、前記光ディスクに対して接離する方向であるフォーカス方向と、前記光ディスクの半径方向と平行な方向であるトラッキング方向と、に前記対物レンズを変位させるアクチュエータと、を備える光ピックアップ装置において、前記コマ収差補正素子は、第１から第５の５つの領域を有し、前記第１の領域と前記第２の領域とは、前記コマ収差補正素子を通る光軸及び前記トラッキング方向と平行な方向に対して略直交する対称線を基準に対称配置され、前記第３の領域と前記第４の領域とは、前記対称線を基準に対称配置され、且つ前記第１及び第２の領域を挟むように配置され、前記第５の領域は、少なくとも、前記第３及び第４の領域に取り囲まれる位置であって、前記第１及び第２の領域を取り囲む位置に配置され、前記第１の領域と前記第３の領域、及び前記第２の領域と前記第４の領域は、それぞれ前記対称線を基準に同じ側に設けられ、収差補正時には、前記第５の領域を通過する光ビームの位相を基準に、前記第１の領域と前記第２の領域とは、互いに略同一の大きさであって符号が異なる位相差を通過する光ビームに対して発生させ、前記第３の領域と前記第４の領域とは、互いに略同一の大きさであって符号が異なる位相差であり、且つ前記第１及び第２の領域で発生される位相差よりその大きさが小さい位相差を通過する光ビームに対して発生させ、前記第１の領域と前記第４の領域とで発生される位相差の符号、及び前記第２の領域及び前記第３の領域で発生される位相差の符号は、それぞれ同一とされることを特徴としている。
【００１３】
この構成によれば、収差補正時に、コマ収差補正素子の各領域で発生させる位相差について所定の比率とすることで、対物レンズのレンズシフトの影響を抑制できる構成としている。このために、コマ収差補正素子は、レンズシフト有無にかかわらず、適切に収差の補正を行うことができる。また、レンズシフトに応じてコマ収差補正素子の設定を変更する構成でないために、簡易な構成でコマ収差の補正を行える。
【００１４】
また、本発明は、上記構成の光ピックアップ装置において、前記第１及び第２の領域の形状は、平面視略楕円形状であり、前記第３及び第４の領域の形成は、平面視略円弧状であるようにしても良い。また、この際に、前記第１から第４の領域を通過する光ビームに発生される前記位相差の比率を、第１の領域：第２の領域：第３の領域：第４の領域＝１：−１：−０．４：０．４としても良い。これにより、対物レンズとコマ収差補正素子との間に位置ずれが生じても適切に収差補正を行える光ピックアップ装置を実現できる。
【００１５】
また、本発明は、上記構成の光ピックアップ装置において、前記コマ収差補正素子は、液晶と、該液晶を挟む２つの透明電極と、を有する液晶素子であって、前記第１から第５の領域は、前記２つの透明電極のうちの少なくとも一方を５つの領域に分割することによって形成されることとしても良い。光ビームに位相分布を発生させる素子として液晶素子を使用することができるが、この液晶素子をコマ収差補正素子として用いる場合にも、上記効果を得られる。
【００１６】
上記目的を達成するために本発明は、ベースと、前記ベースに固定配置される光源と、前記ベースに対して変位可能に設けられ、前記光源から出射される光ビームを光ディスクの記録面に集光する対物レンズと、前記ベースに固定された状態で前記光源と前記対物レンズとの間に配置され、通過する光ビームに位相分布を与えてコマ収差の補正を行うコマ収差補正素子と、前記光ディスクに対して接離する方向であるフォーカス方向と、前記光ディスクの半径方向と平行な方向であるトラッキング方向と、に前記対物レンズを変位させるアクチュエータと、を備え、前記コマ収差補正素子は、第１から第５の５つの領域を有し、前記第１の領域と前記第２の領域とは、前記コマ収差補正素子を通る光軸及び前記トラッキング方向と平行な方向に対して略直交する対称線を基準に対称配置され、前記第３の領域と前記第４の領域とは、前記対称線を基準に対称配置され、且つ前記第１及び第２の領域を挟むように配置され、前記第５の領域は、少なくとも、前記第３及び第４の領域に取り囲まれる位置であって、前記第１及び第２の領域を取り囲む位置に配置され、前記第１の領域と前記第３の領域、及び前記第２の領域と前記第４の領域は、それぞれ前記対称線を基準に同じ側に設けられる光ピックアップ装置における前記コマ収差補正素子を用いた収差補正方式であって、前記第５の領域を通過する光ビームの位相を基準に、前記第１の領域と前記第２の領域とは、略同一の大きさであって符号が異なる位相差を通過する光ビームに対して発生させ、前記第３の領域と前記第４の領域とは、略同一の大きさであって符号が異なる位相差であり、且つ前記第１及び第２の領域で発生される位相差よりその大きさが小さい位相差を通過する光ビームに対して発生させ、前記第１の領域と前記第４の領域とで発生される位相差の符号、及び前記第２の領域及び前記第３の領域で発生される位相差の符号はそれぞれ同一として、収差の補正を行うことを特徴としている。
【００１７】
この構成によれば、コマ収差補正素子の各領域で発生させる位相差について所定の比率とすることで、対物レンズのレンズシフトの影響を抑制できる構成としている。このために、本発明の収差補正方式によれば、レンズシフト有無にかかわらず、適切に収差の補正を行うことができる。また、レンズシフトに応じてコマ収差補正素子の設定を変更する構成でないために、本発明の収差補正方式を用いればコマ収差を行う構成を簡易な構成とでき、コストアップの抑制も可能である。
【発明の効果】
【００１８】
本発明によれば、コマ収差補正素子を備える光ピックアップ装置において、対物レンズとコマ収差補正素子との間に位置ずれが生じても適切に収差補正ができ、且つ簡易な構成でコマ収差の補正が行える光ピックアップ装置を提供できる。また、本発明によれば、コマ収差補正素子を備える光ピックアップ装置において、コストアップを抑制して、対物レンズとコマ収差補正素子との間に位置ずれが生じても適切に収差補正が行える収差補正方式を提供できる。
【発明を実施するための最良の形態】
【００１９】
以下、本発明の実施形態について、図面を参照しながら詳細に説明する。
【００２０】
まず、本実施形態の光ピックアップ装置の構成について、図１を参照しながら説明する。図１は、本実施形態の光ピックアップ装置の構成を説明するための図で、図１（ａ）は、本実施形態の光ピックアップ装置の光学系の構成を示す概略図、図１（ｂ）は、本実施形態の光ピックアップ装置を構成する光学部材とスライドベースとの関係を示す概略平面図である。
【００２１】
光ピックアップ装置１の光学系には、光源２と、ビームスプリッタ３と、コリメートレンズ４と、コマ収差補正素子５と、立ち上げミラー６と、対物レンズ７と、センサレンズ８と、光検出器９と、が備えられる。これら光学系を構成する光学部材は、スライドベース１２に搭載されている。スライドベース１２は、光ディスク２０の半径方向と平行な方向（ラジアル方向）に延びる摺動軸１３に摺動可能に取り付けられる。これにより、光ピックアップ装置１は、光ディスク２０の半径方向に移動可能となり、光ディスク２０に記録される情報の読み取りや、光ディスク２０への情報の書き込みが可能となる。
【００２２】
なお、スライドベース１２に搭載される上述の光学部材は、対物レンズ７を除いてスラードベース１２に対して固定配置されている。
【００２３】
光源２には、半導体レーザを使用している。半導体レーザから出射させるレーザ光の波長は、光ピックアップ装置１をいずれの種類の光ディスク２０に対応させるかによって適宜決定される。すなわち、例えば光ピックアップ装置１をＢＤに対応させる場合には、４０５ｎｍ帯のレーザ光を出射させる半導体レーザを使用し、ＤＶＤに対応させる場合には６５０ｎｍ帯のレーザ光を出射させる半導体レーザを使用する構成とする。なお、光ピックアップ装置１を複数種類の光ディスク２０に対して互換するように設けてもよく、この場合には、例えば、光源２に複数種類の波長のレーザ光を切り換えて出射できる半導体レーザを配置したり、複数個の半導体レーザを配置したりする構成とすれば良い。
【００２４】
ビームスプリッタ３は、光源２から出射されたレーザ光を透過して光ディスク２０側に導くとともに、光ディスク２０で反射されたレーザ光を反射して光検出器９側に導く。なお、ビームスプリッタ３は偏光ビームスプリッタとしても良く、この場合には、対物レンズ７に手前に１／４波長板を配置する。
【００２５】
コリメートレンズ４は、ビームスプリッタ３から送られてきた光を平行光とする。コマ収差補正素子５は、通過するレーザ光に位相分布を与え、光ピックアップ装置１の光学系において発生するコマ収差の補正を行う。位相分布の制御は、ドライバ１１によって行われる。コマ収差補正素子５の構成の詳細については後述する。
【００２６】
立ち上げミラー６は、光源２から出射されたレーザ光を反射して、レーザ光の向きを光ディスク２０の記録面２０ａと略直交する方向とする。
【００２７】
対物レンズ７は、立ち上げミラー６から送られてきたレーザ光を光ディスク２０の記録面２０ａに集光する。対物レンズ７は、スライドベース１２に対して固定配置される対物レンズアクチュエータ１０によって、光ディスク２０に対して接離する方向であるフォーカス方向と、光ディスク２０の半径方向と平行な方向であるトラッキング方向（ラジアル方向に同じ）と、に移動可能となっている。これにより、フォーカス制御及びトラッキング制御が可能となる。
【００２８】
なお、対物レンズアクチュエータ１０の構成は、コイルに流れる電流と永久磁石によって作られる磁界との電磁気的な作用を用いて対物レンズ７を移動させる周知の構成であるために、ここではその説明を省略する。
【００２９】
センサレンズ８は、光ディスク２０で反射され、対物レンズ７、立ち上げミラー６、コマ収差補正素子５、コリメートレンズ４の順に通過し、ビームスプリッタ３で反射されたレーザ光を光検出器９の受光領域(図示せず)に集光する。
【００３０】
光検出器９は、センサレンズ８を通過したレーザ光を受光し、光情報を電気信号へと変換する。光検出器９から出力された電気信号は処理されて、再生情報やサーボ情報として利用される。
【００３１】
次に、本実施形態が備えるコマ収差補正素子５の構成の詳細について説明する。図２は、本実施形態の光ピックアップ装置１が備えるコマ収差補正素子５の構成を示す概略側面図である。図２に示すように、コマ収差補正素子５は、液晶２１と、液晶２１を挟むように配置される２つの透明電極２２、２３と、それぞれ透明電極２２又は透明電極２３を保持するガラス基板２４、２５と、から成る。すなわち、本実施形態のコマ収差補正素子５は、液晶を用いて構成された液晶素子である。
【００３２】
図３は、本実施形態のコマ収差補正素子５が備える２つの透明電極２２、２３のうち、一方の透明電極２２の電極パターンを示した概略平面図である。図３に示すように、透明電極２２は、領域Ａと、領域Ｂと、領域Ｃと、領域Ｄと、領域Ｅと、の５つの領域に分割された電極パターンとなっている。なお、異なる領域同士の間には隙間が設けられ、電気的に接続されていない。また、これら５つの領域Ａ、Ｂ、Ｃ、Ｄ、Ｅからは、それぞれ独立に配線（図示せず）が引き出され、各領域Ａ〜Ｅは独立に電位を与えられるようになっている。各領域Ａ〜Ｅに与える電位の制御は、ドライバ１１によって行われる。
【００３３】
透明電極２２に形成される５つの領域Ａ〜Ｅのうち、領域Ａと領域Ｂとは、いずれも略楕円形状に形成され、両者は対称線２６を基準に対称配置されている。なお、対称線２６は、トラッキング方向（図３の左右方向）とコマ収差補正素子５を通る光軸の方向（図３の紙面方向）との両方に対して直交する線で、説明の便宜上設けられた線である。
【００３４】
領域Ｃと領域Ｄとは、いずれも略円弧状に形成され、両者は対称線２６を基準に対称配置されている。また、領域Ｃと領域Ｄとは、領域Ａ及び領域Ｂを挟むように配置されている。図３における破線の円２７は、対物レンズ７の瞳径を示しており、領域Ｃ及びＤの外周側の径は、対物レンズ７の瞳径２７よりもやや大きくなるように構成されている。
【００３５】
領域Ｅは、領域Ａ、領域Ｂ、領域Ｃ及び領域Ｄが配置されない部分に配置されて、各領域Ａ〜Ｄを囲むような状態となっている。
【００３６】
また、コマ収差補正素子５が備える２つの透明電極２２、２３のうちの他方の透明電極である透明電極２３は、分割されることなく１枚のベタ電極となっている。このように構成した場合、透明電極２２の各領域Ａ〜Ｅに与える電位を調整することにより、各領域Ａ〜Ｅと透明電極２３との間に挟まれる液晶２１の屈折率を調整することができる。そして、コマ収差補正素子５を通過するレーザ光について、５つの領域に分けて位相分布を与えることができる。
【００３７】
以下、液晶２１について、領域Ａと透明電極２３との間に挟まれる部分を第１の領域Ａ、領域Ｂと透明電極２３との間に挟まれる部分を第２の領域Ｂ、領域Ｃと透明電極２３との間に挟まれる部分を第３の領域Ｃ、領域Ｄと透明電極２３との間に挟まれる部分を第４の領域Ｄ、領域Ｅと透明電極２３との間に挟まれる部分を第５の領域Ｅ、として説明する。
【００３８】
なお、本実施形態では、２つの透明電極２２、２３のうち、透明電極２２についてのみ複数の領域に分割された電極パターンを形成する構成としているが、これに限定される趣旨ではない。すなわち、２つの透明電極２２、２３のうち、透明電極２３についてのみ（本実施形態の場合と反対）複数の領域に分割された電極パターンを形成する構成としても構わない。また、２つの透明電極２２、２３の両方に、複数の領域に分割された電極パターンを形成する構成としても構わない。
【００３９】
次に、このように設けられるコマ収差補正素子５を用いてコマ収差の補正を行う方法について説明する。本実施形態の光ピックアップ装置１においては、コマ収差補正素子５はスライドベース１２に固定され、対物レンズ７は対物レンズアクチュエータ１０によってスライドベース１２に対して動くようになっている。この構成の場合、対物レンズ７がトラッキング制御のためにトラッキング方向（ラジアル方向に同じ）に移動した場合（すなわち、レンズシフトした場合）に、上述したようにコマ収差補正素子５と対物レンズ７とが位置ずれを起こして余計な収差を発生させる虞がある。しかし、本実施形態においては、コマ収差補正素子５の収差補正時の設定条件を適切に決定することにより、この余計な収差を極力抑制してコマ収差の補正を行えるようになっている。
【００４０】
以下、コマ収差補正素子５の設定条件が、本実施形態においてどのように決定されているかについて説明する。なお、本実施形態においては、コマ収差の補正を簡単な構成で実施できるように、一度コマ収差補正素子５で発生させる位相分布を決定した後は、収差補正を実行中に、コマ収差補正素子５で発生させる位相分布を変化させない（原則として設定を変更しない）ことを前提としている。
【００４１】
図４、図５及び図６は、本実施形態のコマ収差補正素子５における、収差補正時の設定条件がどのように決定されているかを説明するための図である。図４から図６において、いずれも、（ａ）はレンズシフトの量に対する非点収差の発生量を示しており、（ｂ）はレンズシフトの量に対するコマ収差の発生量を示している。図４、図５、図６の違いは、コマ収差補正素子５を通過するレーザ光に与えられる位相分布である。
【００４２】
具体的には、図４においては、第５の領域Ｅを通過するレーザ光の位相を基準として各領域でレーザ光に発生させる位相差の比率を、第１の領域Ａ：第２の領域Ｂ：第３の領域Ｃ：第４の領域Ｄ＝１：−１：−１：１とした場合が示されている。また、図５においては、第５の領域Ｅを通過するレーザ光の位相を基準として各領域でレーザ光に発生させる位相差の比率を、第１の領域Ａ：第２の領域Ｂ：第３の領域Ｃ：第４の領域Ｄ＝１：−１：−０．４：０．４とした場合が示されている。図６においては、第５の領域Ｅを通過するレーザ光の位相を基準として各領域でレーザ光に発生させる位相差の比率を、第１の領域Ａ：第２の領域Ｂ：第３の領域Ｃ：第４の領域Ｄ＝１：−１：０：０とした場合が示されている。
【００４３】
そして、このような比率でコマ収差補正素子５を通過するレーザ光に位相分布を与え、対物レンズ７の瞳の位置をシフト（トラッキング方向にシフト）させた場合に、対物レンズ７によって集光されるレーザスポットに発生する各収差を計算によって求めた結果が、図４〜図６のグラフである。
【００４４】
図４（ａ）、図５（ａ）、図６（ａ）の比較により、第１の領域Ａ及び第２の領域Ｂで発生させる位相差に対して、第３の領域Ｃ及び第４の領域Ｄで発生させる位相差の大きさ（絶対値）を小さくしていくと、レンズシフトによって発生する非点収差の発生量が小さくなる傾向が見られる。
【００４５】
また、図４（ｂ）、図５（ｂ）、図６（ｂ）の比較により、３次のコマ収差の発生量については、第１の領域Ａ及び第２の領域Ｂで発生させる位相差に対して、第３の領域Ｃ及び第４の領域Ｄで発生させる位相差の大きさ（絶対値）を小さくすると、その発生量が抑えられる傾向が見られる（図４（ｂ）と図５（ｂ）との比較で、特に、レンズシフト量が小さい場合を参照）。しかし、第１の領域Ａ及び第２の領域Ｂで発生させる位相差に対して、第３の領域Ｃ及び第４の領域Ｄで発生させる位相差の大きさをあまり小さくしすぎると、レンズシフトが大きくなった時に、３次のコマ収差の発生量が大きくなる傾向が見られる（図６（ｂ））。
【００４６】
また、同じく図４（ｂ）、図５（ｂ）、図６（ｂ）の比較により、５次のコマ収差については、第１の領域Ａ及び第２の領域Ｂで発生させる位相差に対して、第３の領域Ｃ及び第４の領域Ｄで発生させる位相差の大きさ（絶対値）を小さくすると、その発生量が小さくなる傾向が見られる。一方、７次のコマ収差については、第１の領域Ａ及び第２の領域Ｂで発生させる位相差に対して、第３の領域Ｃ及び第４の領域Ｄで発生させる位相差の大きさ（絶対値）を小さくしすぎた場合（図６（ｂ））に、レンズシフトによって発生する収差の発生量が大きくなる傾向が見られる。
【００４７】
コマ収差補正素子５の収差補正時の設定条件を決定するにあたって、レンズシフトがあった場合においても、３次のコマ収差の発生を極力抑え、他の収差の発生についても極力抑えることが望まれる。従って、上記の結果より、第１の領域Ａ及び第２の領域Ｂで発生させる位相差に対して、第３の領域Ｃ及び第４の領域Ｄに発生させる位相差の大きさ（絶対値）は小さい方が望ましく、更には、その大きさは小さくしすぎない（ゼロとしない）ことが望ましいことがわかる。そして、全体のバランスを考えると、第５の領域Ｅにおける位相を基準として、第１の領域Ａ、第２の領域Ｂ、第３の領域Ｄ、第４の領域Ｄで発生させる位相差の比率は、１：−１：−０．４：０．４（図５の場合が該当）がより好ましいことがわかる。
【００４８】
なお、第１から第４の領域Ａ〜Ｄでレーザ光に発生させる位相差の比率について、図４と図５の間、及び図５と図６の間の条件の結果については示していない。これは、図４と図５の間、及び図５と図６の間については、条件の変化に伴う収差発生量の変化の傾向について、１次近似にておおよその値を予想できるためである。
【００４９】
また、光ピックアップ装置１でコマ収差の補正を行う場合、コマ収差補正素子５は、第１から第４の領域Ａ〜Ｄで発生させる位相差の比率は上記の通りとなるように条件設定されるが、具体的に発生させる位相差の値は、例えば製造段階に実験によって決め、それをメモリ（図示せず）に記憶しておく構成等とすれば良い。そして、コマ収差補正素子５を実際に駆動させるときに、メモリに記憶した条件を読み出して駆動すれば良い。
【００５０】
また、光ディスクの反りよってもコマ収差は発生する。光ディスクによって発生するコマ収差については、光ディスク毎に異なり、上述のように製造時に実験によって決めることはできない。このため、光ディスクの反りによって発生するコマ収差についても補正する場合には、例えば光ディスクを装着した後に、例えばチルトセンサを用いて、光ディスクに対するレーザ光の傾きを調べる等して、この結果も加味してコマ収差補正素子５の第１から第４の領域Ａ〜Ｄで発生させる位相差を決定するように構成すれば良い。この場合も、発生させる位相差の比率は、上述の一定の比率とされる。
【００５１】
以上に示した実施形態は一例であり、本発明は上述の実施形態に限定されるものではなく、本発明の目的を逸脱しない範囲で種々の変更が可能である。
【００５２】
例えば、透明電極２２に設けられる第１から第５の領域Ａ〜Ｅについて、本実施形態の形状に限定されず、種々の変更が可能である。例えば、第１及び第２の領域について、半円状等としても構わない。また、第３及び第４の領域についても、例えば、本実施形態では外周側について完全な円弧となっていないが、この部分も円弧となるようにしても構わない。また、第５の領域について、例えば、第３及び第４の領域に囲まれる部分にのみ設ける構成等としても構わない。
【００５３】
なお、このように第１の領域から第５の領域について形状を変更した場合には、第１から第４の領域でレーザ光に発生させる位相差の比率について、上述の比率（１：−１：−０．４：０．４）とは異なる比率が好ましい値となる場合がある。ただし、この場合でも、第１の領域及び第２の領域で発生させる位相差に対して、第３の領域及び第４の領域で発生させる位相差の大きさ（絶対値）は小さくし、且つ、ゼロより大きな位相差を発生させるようにすれば、レンズシフトの影響で発生する収差の影響を抑制できる。
【産業上の利用可能性】
【００５４】
本発明によれば、対物レンズとコマ収差補正素子のとの間に位置ずれが発生しても適切に収差の補正ができ、且つコマ収差を補正する構成が簡易な構成の光ピックアップ装置を提供できる。従って、本発明は、光ピックアップ装置の分野で有用である。
【図面の簡単な説明】
【００５５】
【図１】は、本実施形態の光ピックアップ装置の構成を説明するための図である。
【図２】は、本実施形態の光ピックアップ装置が備えるコマ収差補正素子の構成を示す概略側面図である。
【図３】は、本実施形態のコマ収差補正素子が備える２つの透明電極のうち、一方の透明電極の電極パターンを示した概略平面図である。
【図４】は、本実施形態のコマ収差補正素子における、収差補正時の設定条件がどのように決定されているかを説明するための図である。
【図５】は、本実施形態のコマ収差補正素子における、収差補正時の設定条件がどのように決定されているかを説明するための図である。
【図６】は、本実施形態のコマ収差補正素子における、収差補正時の設定条件がどのように決定されているかを説明するための図である。
【符号の説明】
【００５６】
１                光ピックアップ装置
２                光源
５                コマ収差補正素子
７                対物レンズ
１０              対物レンズアクチュエータ
１２              スライドベース
２０              光ディスク
２０ａ            記録面
２１              液晶
２２、２３        透明電極
２６              対称線
【図１】
2009048725.tif 000003
【図２】
2009048725.tif 000004
【図３】
2009048725.tif 000005
【図４】
2009048725.tif 000006
【図５】
2009048725.tif 000007
【図６】
2009048725.tif 000008